(57)【要約】【課題】情報表示板の視認性が向上し、除雪された雪によって情報表示板が見えなくなってしまうことを防止し、情報表示板を工事現場のバリケードやガードレール等の後方に設置可能で、除雪された雪によって情報表示板が破損することを防止できる情報表示板用スタンドを提供すること。【解決手段】情報表示板用スタンド１は、地面に載置される脚部２と、その脚部２の上端に取り付けられ、情報を表示する情報表示板が地面から所定の高さで固定可能となっている表示板固定部３とを有する。【選択図】  図１
2016156235.tif 000002
【特許請求の範囲】
【請求項１】
地面に載置される脚部と、
その脚部の上端に取り付けられ、情報を表示する情報表示板が地面から所定の高さで固定可能となっている表示板固定部とを有することを特徴とする情報表示板用スタンド。
【請求項２】
前記脚部は折りたたんで幅を小さくすることが可能であることを特徴する請求項１に記載の情報表示板用スタンド。
【請求項３】
前記脚部は、錘を載置するための錘載置手段を有することを特徴とする請求項１又は２に記載の情報表示板用スタンド。
【請求項４】
前記表示板固定部は、前記情報表示板の主面を鉛直となるように固定できることを特徴とする請求項１乃至３のいずれかに記載の情報表示板用スタンド。
【請求項５】
前記表示板固定部は、前記情報表示板を上下から挟み込む治具を有することを特徴とする請求項１乃至４のいずれか記載の情報表示板用スタンド。
【請求項６】
前記治具は、前記表示板固定部の左右方向の任意の位置に固定可能となっていることを特徴とする請求項５に記載の情報表示板用スタンド。
【請求項７】
前記治具のうち、前記情報表示板の上側又は下側の少なくとも一方の治具は、上下方向に移動可能となっていることを特徴とする請求項５又は６に記載の情報表示板用スタンド。
【請求項８】
前記治具は、前記前記情報表示板に当接する山型の切り込みを有することを特徴とする請求項５乃至７のいずれかに記載の情報表示板用スタンド。
【発明の詳細な説明】
【技術分野】
【０００１】
本発明は、道路工事等の現場において、車両の誘導や工事の告知等を行うための情報表示板を固定するスタンドに関する。
【背景技術】
【０００２】
従来、道路工事等の現場では、安全を確保するために道路上に車両の進行方向を指示する情報表示板として矢印板を路面上に置いて、車両を誘導していた。
【０００３】
矢印板は夜間でも車両からの視認性を向上させるため、車両のライトを反射させるものや、ＬＥＤ等によって自発光するものが知られている。ＬＥＤによって自発光する矢印板として特許文献１に示すものがある。
【０００４】
また、強風による転倒防止を図るため、側面視が山型となっている矢印板として特許文献２に示すものがある。
【先行技術文献】
【特許文献】
【０００５】
【特許文献１】実用新案登録第３１６６０８０号公報
【特許文献２】実用新案登録第３１３８３５２号公報
【発明の概要】
【発明が解決しようとする課題】
【０００６】
特許文献１及び特許文献２の矢印板は、地面に直接設置されるので、車両からの視認性の向上には限界があるという問題があった。また、特許文献１及び特許文献２の矢印板は、地面に直接設置されるので、積雪が多い地方の地面に設置すると、除雪された雪によって前面が車両から見えなくなる場合がある。矢印板の情報表示板としての機能を発揮することができず、道路工事等の現場の安全を確保するという目的を達成することができないという問題もあった。
【０００７】
また、特許文献１及び特許文献２の矢印板は、地面に直接置かれて設置されるので、矢印板の前面が車両から見えなくなることがないように、工事現場のバリケードやガードレールの前方に矢印板を設置する必要があり、運転を誤った車両と接触し破損する場合があるという問題があった。
【０００８】
また、特許文献１及び特許文献２の矢印板は、地面に直接設置されるので、積雪が多い地方の地面に設置すると、除雪板を装着した除雪車によって除雪された雪が矢印板を押圧し、矢印板が破損する場合があるという問題もあった。道路工事等の現場に誰もいない早朝に除雪を行うことが多く、矢印板の破損を防止するために、除雪の際に矢印板を移動させるとすると、除雪効率が著しく低下してしまう。
【０００９】
上記点より本発明は、情報表示板の視認性が向上し、除雪された雪によって情報表示板が見えなくなってしまうことを防止し、情報表示板を工事現場のバリケードやガードレール等の後方に設置可能で、除雪された雪によって情報表示板が破損することを防止できる情報表示板用スタンドを提供することを目的とする。
【課題を解決するための手段】
【００１０】
上記課題を解決するため、請求項１の情報表示板用スタンドは、地面に載置される脚部と、その脚部の上端に取り付けられ、情報を表示する情報表示板が地面から所定の高さで固定可能となっている表示板固定部とを有する。
【００１１】
請求項１の情報表示板用スタンドによれば、表示板固定部が脚部の上端に取り付けられるので、地面に直接設置される情報表示板としての矢印板に比べて、情報を表示する情報表示板が地面から高い位置にあり、車両からの視認性を向上させることができる。
【００１２】
また、情報を表示する情報表示板が地面から高い位置にあるので、工事現場のバリケードやガードレール等の後方に情報表示板を設置しても、情報表示板の前面が車両から視認可能である。
【００１３】
さらに、表示板固定部が脚部の上端に取り付けられるので、除雪された雪は脚部を覆う場合はあっても、表示板固定部の高さにまで到達する場合は少ない。そのため、除雪された雪によって情報表示板が見えなくなってしまうことを防止するとともに、除雪された雪によって情報表示板が押圧されて破損することを抑制できる。
【００１４】
さらに、表示板固定部が脚部の上端に取り付けられるので、搬送時には脚部と表示板固定部を分離することが可能である。そのため、脚部及び表示板固定部を分離せずに収容する空間の最大長さに比べて、分離された脚部及び表示板固定部を収容する空間の最大長さを小さくすることができる。具体的には、車のトランク等の既に空間の最大長さが決まっている空間に分離された脚部及び表示板固定部を収容して搬送することが可能である。
【００１５】
請求項２の情報表示板用スタンドは、請求項１の情報表示板用スタンドにおいて、前記脚部は折畳んで側面視における幅を小さくすることが可能である。
【００１６】
請求項２の情報表示板用スタンドによれば、請求項１の情報表示板用スタンドと同様に作用する上に、前記脚部を折りたたんで側面視の幅を小さくすることができるので、搬送の際に、分離された脚部を収容するために必要な空間をより小さくすることができる。
【００１７】
請求項３の情報表示板用スタンドは、請求項１又は２の情報表示板用スタンドにおいて、前記脚部は、錘を載置するための錘載置手段を有する。
【００１８】
請求項２の情報表示板用スタンドによれば、請求項１又は２の情報表示板用スタンドと同様に作用する上に、脚部の錘載置手段に錘を載置することで、風や衝撃等によって、情報表示板用スタンドが簡単に飛ばされたり、移動したりしないようにすることができる。
【００１９】
請求項４の情報表示板用スタンドは、請求項１乃至３のいずれかの情報表示板用スタンドにおいて、前記表示板固定部は、前記情報表示板の主面を鉛直となるように固定できる。
【００２０】
特許文献１及び２に示すような情報表示板の面が傾斜している情報表示板としての矢印板では、面上に雪が積もりやすいので、情報表示板の視認不良や情報表示板に使用されているＬＥＤ等の電子機器が破損する可能性がある。これに対して、請求項４の情報表示板用スタンドによれば、請求項１乃至３のいずれかの情報表示板用スタンドと同様に作用する上に、情報表示板の面を鉛直となるように固定できるので、面上に雪が積もりにくく、情報表示板の視認不良や情報表示板に使用されているＬＥＤ等の電子機器の破損を抑制することができる。
【００２１】
請求項５の情報表示板用スタンドは、請求項１乃至４のいずれかの情報表示板用スタンドにおいて、前記表示板固定部は、前記情報表示板を上下から挟み込む治具を有する。
【００２２】
請求項５の情報表示板用スタンドによれば、請求項１乃至４のいずれか情報表示板用スタンドと同様に作用する上に、情報表示板を上下から挟み込むことで表示板固定部に情報表示板を固定できるので、情報表示板の固定及び解除が容易であるとともに情報表示板を強固に固定することができる。
【００２３】
請求項６の情報表示板用スタンドは、請求項５の情報表示板用スタンドにおいて、前記治具が前記表示板固定部の左右方向の任意の位置に固定可能となっている。
【００２４】
請求項６の情報表示板用スタンドによれば、請求項５の情報表示板用スタンドと同様に作用する上に、治具が表示板固定部の左右方向の任意の位置に固定可能となっているので、左右方向の長さが様々な情報表示板を挟み込んで表示板固定部に固定することができる。
【００２５】
請求項７の情報表示板用スタンドは、請求項５又は６の情報表示板用スタンドにおいて、前記情報表示板の上側の治具が上下方向に移動可能となっている。
【００２６】
請求項７の情報表示板用スタンドによれば、請求項５又は６の情報表示板用スタンドと同様に作用する上に、情報表示板の上側の治具が上下方向に移動可能となっているので、上下方向の長さが様々な情報表示板を挟み込んで表示板固定部に固定することができる。加えて、情報表示板の挟み込み及び挟み込みの解除において、情報表示板の上側の治具を適宜移動させることができるので、情報表示板の固定及び解除が容易となる。
【００２７】
請求項８の情報表示板用スタンドは、請求項５乃至７のいずれか情報表示板用スタンドにおいて、前記治具が前記情報表示板に当接する山型の切り込みを有する。
【００２８】
請求項８の情報表示板用スタンドによれば、請求項５乃至７のいずれか情報表示板用スタンドと同様に作用する上に、前後方向の厚さが様々な情報表示板を挟み込むことができる。
【発明の効果】
【００２９】
請求項１から７のいずれかの発明によれば、情報表示板の視認性が向上し、情報表示板を工事現場のバリケードやガードレール等の後方に設置可能で、除雪された雪によって情報表示板が破損することを防止できる。
【図面の簡単な説明】
【００３０】
【図１】本発明の一実施形態の情報表示板用スタンドの斜視図である。
【図２】脚部の正面図である。
【図３】脚部の右側面図である。
【図４】表示板固定部の正面図である。
【図５】表示板固定部の右側面図あって、破線は表示板固定部に固定された情報表示板を示す。
【発明を実施するための形態】
【００３１】
本発明の一実施形態である情報表示板用スタンド１について、以下説明する。以下の説明においては、正面図における縦方向を上下方向とし、正面図における横方向を左右方向とし、側面図における横方向を前後方向とする。
【００３２】
情報表示板用スタンド１は、図１に示すように、地面に載置される脚部２と、その脚部２の上端に取り付けられ、情報を表示する情報表示板４Ａ〜４Ｃ（図５参照）が地面から所定の高さで固定可能となっている表示板固定部３とを有する。
【００３３】
脚部２は、図１〜図３に示すように、表示板固定部３が固定可能となっている上端フレーム２１と、上端フレームの左右両端付近から垂下する垂下フレーム２２ａ，２２ｂと、垂下フレーム２２ａに対して開脚及び閉脚が可能となっている脚フレーム２３ａ，２３ｂと、垂下フレーム２２ｂに対して開脚及び閉脚が可能となっている脚フレーム２３ｃ，２３ｄとを有する。
【００３４】
上端フレーム３１には、後述する表示板固定部３の取付片３５を固定するための固定具としてノブ付ボルト２４が４か所に設けられている。
【００３５】
垂下フレーム２２ａには、垂下フレーム２２ａの回転中心周りに回動可能な回動プレート２５ａ、２５ｂの一端が取り付けられている。垂下フレーム２２ｂには、垂下フレーム２２ｂの回転中心周りに回動可能な回動プレート２５ｃ、２５ｄの一端が取り付けられている。
【００３６】
垂下フレーム２２ａ及び脚フレーム２３ａ，２３ｂについて、図３を用いて説明する。
【００３７】
垂下フレーム２２ａの前後には、脚フレーム２３ａ，２３ｂが配設されている。脚フレーム２３ａ，２３ｂの上端近くには、それぞれ回動プレート２５ａ、２５ｂの他端が取り付けられている。回動プレート２５ａ，２５ｂに対して、それぞれ脚フレーム２３ａ，２３ｂは回動自在となっている。
【００３８】
脚フレーム２３ａにおいて、脚フレーム２３ａの下端と回動プレート２５ａが取り付けられている位置との間には，垂下フレーム２２ａに対して脚フレーム２３ａ，２３ｂが開脚している状態をロックするための架け渡しプレート２７ａの一端が回動自在に取り付けられている。
【００３９】
脚フレーム２３ｂにおいて、脚フレーム２３ｂの下端と回動プレート２５ｂが取り付けられている位置との間には，架け渡しプレート２７ａの他端の切欠きが嵌合するためのボルトが取り付けられている。
【００４０】
架け渡しプレート２７ａの中央部には、前述の垂下フレーム２２ａから突出するボルトと嵌合するための窪みも形成されている。
【００４１】
架け渡しプレート２７ａの一端が一方の脚フレーム２３ａに回動自在に取り付けられ、架け渡しプレート２７ａの中央の窪みに垂下フレーム２２ａから突出するボルトと嵌合し、他方の脚フレーム２３ｂから突出しているボルトに架け渡しプレート２７ａの他端側の切欠きが嵌合することによって、垂下フレーム２２ａに対して脚フレーム２３ａ，２３ｂが開脚している状態をロックすることができる。
【００４２】
図３中の架け渡しプレート２７ａを一方の脚フレーム２３ａのボルトを中心に反時計回りに回動させると開脚している状態のロックが解除される。
【００４３】
このロックを解除した状態で垂下フレーム２２ａに沿うように脚フレーム２３ａ，２３ｂを閉脚することができる。架け渡しプレート２７ａは、脚フレーム２３ａに沿った状態となる。このロックを解除した状態において、架け渡しプレート２７ａは、脚フレーム２３ａに沿った状態でロックできる突起が脚フレーム２３ａに更に設けられていてもよい。
【００４４】
左右反対側についても、符号の数字部分が同じ以下の部品については、垂下フレーム２２ｂ、脚フレーム２３ｃ，２３ｄ、回動プレート２５ｃ，２５ｄ，架け渡しプレート２７ｂついても同様の構成となっており、同様の作用を有する。
【００４５】
脚フレーム２３ａ〜２３ｄの下端には、地面に安定して接地するための接地具２６が取り付けられている。
【００４６】
前側の脚フレーム２３ａ及び脚フレーム２３ａには、前側の脚フレーム２３ａと脚フレーム２３ａとを連結する連結バー２８ａが設けられている。同様に、後側の脚フレーム２３ｄ及び脚フレーム２３ｄには、後側の脚フレーム２３ｂと脚フレーム２３ｄとを連結する連結バー２８ｂが設けられている。
【００４７】
連結バー２８ａと連結バー２８ｂとの間には、土嚢やブロック等の錘を載置するための錘載置手段２９が架け渡された状態で設けられている。錘載置手段２９の前後方向の両端は、それぞれ連結バー２８ａと連結バー２８ｂにボルトで固定されており、錘載置手段２９は取り付け及び取り外し自在となっている。
【００４８】
錘載置手段２９は前後方向の中央を頂点となるように折たたみ可能となっている。したがって、垂下フレーム２２ａに沿うように脚フレーム２３ａ，２３ｂを閉脚することにともなって、錘載置手段２９も折りたたまれるようになっている。
【００４９】
表示板固定部３は、図１、図４及び図５に示すように、上辺フレーム３１、右辺フレーム３２、左辺フレーム３３、下辺フレーム３４からなる正面視が矩形の枠を有する。
【００５０】
下辺フレーム３４には、ノブ付ボルト２４によって表示板固定部３を脚部２の上端に固定するための取付片３５が４か所に設けられている。取付片３５には切欠きが設けられており、この切欠きに前述のノブ付ボルト２４が嵌合し、ノブ付ボルトを締めることで容易に表示板固定部３を脚部２の上端に固定できるようになっている。
【００５１】
右辺フレーム３２、左辺フレーム３３の前面には案内溝が形成されている。右辺フレーム３２の下端近傍と左辺フレーム３３の下端近傍との間には固定バー３６が設けられている。
【００５２】
右辺フレーム３２と左辺フレーム３３との間であって固定バー３６の上には上下移動バー３７が設けられている。上下移動バー３７の左右両端近傍には、右辺フレーム３２、左辺フレーム３３の案内溝にそれぞれ挿入された状態で案内され、上下移動バー３７を固定バー３６と上辺フレーム３１との間の任意の位置で固定可能なノブ付ボルト３７ａ，３７ａが設けられている。
【００５３】
固定バー３６及び上下移動バー３７には、それぞれ、情報表示板４を上下から挟み込む治具３８が２個ずつボルトで取り付けられている。
【００５４】
固定バー３６及び上下移動バー３７には、図４に示すように、左右方向の長さが様々な情報表示板に対応できるように、治具３８を固定する左右方向の位置を選択できる複数のねじ穴３９が形成されている。破線で示した治具３８のように、固定する情報表示板の左右方向の長さに応じて、治具３８の左右方向の位置を適宜選択することができる。
【００５５】
上下移動バー３７は、固定バー３６と上辺フレーム３１との間の任意の位置で固定であるので、図５に（ａ）〜（ｃ）で破線で示すような上下方向の長さが様々な情報表示板４Ａ〜４Ｃに対応できる。
【００５６】
固定バー３６の治具３８は上向きに、上下移動バー３７の治具３８は下向きに山型の切り込みを有している。
【００５７】
固定バー３６の治具３８の山型の切り込みが情報表示板４の下面の角に当接し、上下移動バー３７の治具３８の山型の切り込みが情報表示板４の上面の角に当接するようになっている。
【００５８】
治具３８の山型の切り込みが情報処理板４の上面及び下面の角に当接するので、図５に（ａ）示すような破線の情報処理板４Ａ、図５に（ｂ）示すような情報処理板４Ａより前後方向の厚さが薄い破線の情報処理板４Ｂ、図５に（ｂ）示すような上面の前後方向の厚さが薄く下面の前後方向の厚さが厚くなっている破線の情報処理板４Ｃなど、前後方向の厚さが様々な情報表示板４Ａ〜４Ｃに対応できる。
【００５９】
固定バー３６の治具３８の山型の切り込みと上下移動バー３７の治具３８の山型の切り込みは鉛直方向に対向しているので、情報表示板４の主面である前面を鉛直となるように固定できる。
【００６０】
固定された情報表示板４Ａ〜４Ｃの裏面にも情報を表示して、前面と裏面とで同一又は異なる情報を表示することもできる。
【００６１】
情報表示板４Ａ〜４Ｃを表示板固定部３に固定する際には、以下の手順で行われる、まず、予め、上下移動バー３７を上辺フレーム３１に近づけて、固定バー３６の治具３８と上下移動バー３７の治具３８との間隔を情報表示板４Ａ〜４Ｃの上下方向の長さより大きくしておく。次いで情報表示板４Ａ〜４Ｃの下面の角を当接固定バー３６の治具３８の山型の切り込みに載せる。上下移動バー３７を上辺フレーム３４に向かって移動させ、上下移動バー３７の治具３８の山型の切り込みに情報表示板４Ａ〜４Ｃの上面の角を当接させる。ノブ付ボルト３７ａ，３７ａを締めて上下移動バー３７を固定する。
【００６２】
上記実施形態では、取付片３５とノブ付ボルト２４によって脚部２に表示板固定部３が取り付けられる場合について説明したが、これに限定されることなく、他の取り付け方法によって、脚部に表示板固定部が取り付けられていてもよい。
【００６３】
上記実施形態では、治具３８は山型の切り込みを有する場合について説明したが、これに限定されることなく、治具は情報表示板を固定できる他の形状であってもよい。
【００６４】
上記実施形態では、固定バー３６及び上下移動バー３７に、それぞれ２個ずつ治具３８が取り付けられている場合について説明したが、これに限定されることなく、例えば
固定バーに２個の治具、上下移動バーに１個の治具が取り付けられていても良い。
【００６５】
上記実施形態では、治具３８がボルト固定バー３６及び上下移動バー３７で取り付けられる場合について説明したが、これに限定されることなく、他の取り付け方法によって、治具がボルト固定バー及び上下移動バーに取り付けられていてもよい。
【００６６】
上記実施形態では、上下移動バー３７が固定バー３６と上辺フレーム３１との間の任意の位置でノブ付ボルト３７ａ，３７ａによって固定可能である場合について説明したが、これに限定されることなく、他の固定方法によって、上下移動バーが固定バーと上辺フレーム３１との間の任意の位置で固定可能であってもよい。
【００６７】
上記実施形態では、右辺フレーム３２の下端近傍と左辺フレーム３３の下端近傍に設けられた固定バー３６の上に上下移動バー３７が設けられている場合について説明したが、これに限定されることなく、右辺フレームの上端近傍と左辺フレームの上端近傍に設けられた固定バーの下に上下移動バーが設けられていてもよく、右辺フレームと左辺フレームとの間に上下移動バーが２個設けられていてもよい。
【符号の説明】
【００６８】
１              情報表示板用スタンド
２              脚部
３              表示板固定部
４Ａ〜４Ｃ      情報表示板
２１            上端フレーム
２２ａ，２２ｂ  垂下フレーム
２３ａ〜２３ｄ  脚フレーム
２４            ノブ付ボルト
２５ａ〜２５ｄ  回動プレート
２６            接地具
２７ａ，２７ｂ  架け渡しプレート
２８ａ，２８ｂ  連結バー
２９            錘載置手段
３１            上辺フレーム
３２            右辺フレーム
３３            左辺フレーム
３４            下辺フレーム
３５            取付片
３６            固定バー
３７            上下移動バー
３７ａ          ノブ付ボルト
３８            治具
３９            ねじ穴
【図１】
2016156235.tif 000003
【図２】
2016156235.tif 000004
【図３】
2016156235.tif 000005
【図４】
2016156235.tif 000006
【図５】
2016156235.tif 000007